(57)【要約】  フレーム１２、４１と、前記フレームにおける、複数の開口３３、５５と、開口の上に被さる、スクリーン７１、１０３と、スクリーンとはフレームの反対側にある、離間した、複数のテーパー状リブ３０、５０と、フレーム上における、リップ２９、１３０を有する第一端部と、そこにクリップ９４を有する、フレームにおける、第二端部とを有している、スクリーン組立体。別の実施例では、棚部１２２を有する第一端部と、張り出し部１２３を有する第二端部と、棚部上のシール部１２０とを有している。
2007503979.tif 000002
【特許請求の範囲】
【請求項１】
フレームと、
前記フレームにおける、離間した第一及び第二の側部材と、
前記第一及び第二の側部材の２つの端部と、
前記第一及び第二の側部材の上面及び下面と、
前記フレームにおける、前記第一及び第二の側部材の前記２つの端部における、離間した第一及び第二の端部材と、
前記離間した第一側部材と第二側部材の間で延びておりかつこれらを接合している、離間した複数のリブと、
前記側部材と前記端部材との間の複数の開口と、
前記開口の上に被さる、前記フレームにおけるスクリーンと、
前記離間した第一及び第二の側部材の前記下面における凹部とを有している、スクリーン・アセンブリ。
【請求項２】
前記複数の開口が、前記第一の側部材と前記第二の側部材の間で延びている列状に並べられている、請求項１に記載のスクリーン・アセンブリ。
【請求項３】
複数列の開口が、前記複数のリブの少なくとも一部の間に配置されている、請求項２に記載のスクリーン・アセンブリ。
【請求項４】
前記第一及び第二の端部材は、端部材上面及び端部材下面を有し、前記第一の端部材の前記端部材下面上にリップがある、請求項３に記載のスクリーン・アセンブリ。
【請求項５】
前記第二の端部材上においてクリップを有している、請求項４に記載のスクリーン・アセンブリ。
【請求項６】
前記スクリーンが、前記第一及び第二の側部材の長手軸線方向に延びている隆線及び谷部を有する波形を有している、請求項１に記載のスクリーン・アセンブリ。
【請求項７】
前記開口が、前記第一側部材と前記第二側部材の間に延びている列状に並べられている、請求項６に記載のスクリーン・アセンブリ。
【請求項８】
複数列の開口が、前記リブの少なくとも一部の間に配置されている、請求項７に記載のスクリーン・アセンブリ。
【請求項９】
前記第一及び第二の端部材が、端部材上面及び端部材下面を有し、前記第一の端部材の前記端部材下面上にリップがある、請求項８に記載のスクリーン・アセンブリ。
【請求項１０】
前記リップが、前記端部材下面の窪み部の一部である、請求項９に記載のスクリーン・アセンブリ。
【請求項１１】
前記第二の端部材上においてクリップを有している、請求項９に記載のスクリーン・アセンブリ。
【請求項１２】
前記複数のリブが上縁及び凹状下縁を有している、請求項１に記載のスクリーン・アセンブリ。
【請求項１３】
前記複数の開口が、前記側部材間に延びている列状に並べられている、請求項１２に記載のスクリーン・アセンブリ。
【請求項１４】
複数列の開口が、前記複数のリブの少なくとも一部の間に配置されている、請求項１３に記載のスクリーン・アセンブリ。
【請求項１５】
前記複数のリブが前記スクリーンから離れるにつれてテーパー状に細くなる、請求項１に記載のスクリーン・アセンブリ。
【請求項１６】
前記複数の開口が、前記第一側部材と前記第二側部材の間に延びている列状に並べられている、請求項１５に記載のスクリーン・アセンブリ。
【請求項１７】
複数列の開口が、前記複数のリブの少なくとも一部の間に配置されている、請求項１６に記載のスクリーン・アセンブリ。
【請求項１８】
フレームと、
前記フレームにおける、離間した複数の側部材と、
前記複数の側部材の端部と、
前記フレームにおける、前記複数の側部材の前記端部における、離間した第一及び第二の端部材と、
前記側部材と前記第一及び第二の端部材との間の開口と、
前記フレームにおける、前記開口の上に被さるスクリーンと、
前記離間した複数の側部材の間に延びておりかつこれらを接合する、離間した複数のリブと、
前記複数のリブの上縁と、
前記複数のリブの凹状下縁とを有している、スクリーン・アセンブリ。
【請求項１９】
前記複数の開口が、前記第一側部材と前記第二側部材の間に延びている列状に並べられている、請求項１８に記載のスクリーン・アセンブリ。
【請求項２０】
複数列の開口が、前記複数のリブの少なくとも一部の間に配置されている、請求項１９に記載のスクリーン・アセンブリ。
【請求項２１】
前記複数のリブが、前記スクリーンから離れるにつれてテーパー状に細くなる、請求項２０に記載のスクリーン・アセンブリ。
【請求項２２】
フレームと、
前記フレームにおける、離間した第一及び第二の側部材と、
前記第一及び第二の側部材の端部と、
前記第一及び第二の側部材の上面及び下面と、
前記フレームにおける、前記側部材の前記端部における、端部材上面及び端部材下面を有している、離間した第一及び第二の端部材と、
前記離間した第一側部材と第二側部材の間で延びておりかつこれらを接合する、離間した複数のリブと、
前記第一及び第二の側部材と前記第一及び第二の端部材との間の開口と、
前記フレームにおける、前記開口の上に被さる波状スクリーンと、
前記第一の端部材の前記端部材下面から外向きに延びているリップとを有している、スクリーン・アセンブリ。
【請求項２３】
前記第二の端部材上においてクリップを有している、請求項２２に記載のスクリーン・アセンブリ。
【請求項２４】
前記リップが、前記端部材下面の窪みの一部である、請求項２２に記載のスクリーン・アセンブリ。
【請求項２５】
前記第二の端部材上においてクリップを有している、請求項２４に記載のスクリーン・アセンブリ。
【請求項２６】
前記波形が第一の波形端部及び第二の波形端部を有し、かつ前記第一の端部材が前記第一の波形端部から外向きに延びている、請求項２２に記載のスクリーン・アセンブリ。
【請求項２７】
前記第二の端部材上においてクリップを有している、請求項２６に記載のスクリーン・アセンブリ。
【請求項２８】
前記リップが前記端部材下面の窪み部の一部である、請求項２６に記載のスクリーン・アセンブリ。
【請求項２９】
前記第二の端部材上においてクリップを有している、請求項２８に記載のスクリーン・アセンブリ。
【請求項３０】
前記第二の端部材が外側端部を有し、前記第二の波形端部が、前記第二の端部材の前記外側端部と実質的に同一平面上で終わっている、請求項２６に記載のスクリーン・アセンブリ。
【請求項３１】
前記第二の端部材上においてクリップを有している、請求項３０に記載のスクリーン・アセンブリ。
【請求項３２】
前記リップが前記端部材下面の窪み部の一部である、請求項３０に記載のスクリーン・アセンブリ。
【請求項３３】
前記第二の端部材上においてクリップを有している、請求項３２に記載のスクリーン・アセンブリ。
【請求項３４】
フレームと、
前記フレームにおける、離間した第一及び第二の側部材と、
前記第一及び第二の側部材の端部と、
前記第一及び第二の側部材の上面及び下面と、
前記フレームにおける、前記第一及び第二の側部材の前記端部における、離間した第一及び第二の端部材と、
前記離間した第一側部材と第二側部材の間で延びておりかつこれらを接合する、離間した複数のリブと、
前記側部材と前記端部材との間の開口と、
前記フレームにおいて前記開口の上に被さるスクリーンと、
前記第一の端部材の外向きに延びている棚部と、
前記第二の端部材の張り出し部とを有している、スクリーン・アセンブリ。
【請求項３５】
前記棚部と前記第一の端部材の隣接部との間の接点と、前記接点に配置されているシールとを有している、請求項３４に記載のスクリーン・アセンブリ。
【請求項３６】
前記開口が、前記第一側部材と前記第二側部材との間で延びている列状に並べられている、請求項３５に記載のスクリーン・アセンブリ。
【請求項３７】
複数列の開口が、前記リブの少なくとも一部の間に配置されている、請求項３６に記載のスクリーン・アセンブリ。
【請求項３８】
前記複数のリブが、前記スクリーンから離れるにつれてテーパー状に細くなる、請求項３７に記載のスクリーン・アセンブリ。
【発明の詳細な説明】
【技術分野】
【０００１】
本発明は、振動篩い分け機用の改良スクリーン・アセンブリに関するものである。
【背景技術】
【０００２】
背景として、スクリーンが取り付けられている剛性フレームを有しているスクリーン・アセンブリが存在する。しかし、このスクリーンは、相互に比較的に間隔の小さい多数のリブを有するため、比較的に重い。さらに、リブは実質的に長方形の断面を有する。また、スクリーンの側部材は、全体を通して均等な厚みを有し、これもスクリーンを比較的に重くする原因となる。さらに、知られている限りでは、２つのスクリーンが振動篩い分け機の振動フレームに長手軸線方向に取り付けられている時、各スクリーンは別個に振動フレームの出口端部から取り外さなければならない。なぜなら、振動フレームの出口から２つのスクリーンを共に引き出せるようにするような接続が２つのスクリーンの間にないからである。さらに、知られている限りでは、振動フレームの長手軸線方向に端部を接して配置されている振動スクリーンの他の実施態様は、２つのスクリーンの間の接合部の漏出を防止するような効果的な単純なシールをその間に有しない。本発明が取り組むのは、先行技術の上記の欠陥を克服することである。
【発明の開示】
【０００３】
従って、本発明の１つの目的は、比較的に軽量のスクリーン・アセンブリを提供することである。
【０００４】
本発明の別の目的は、２つの同様のスクリーン・アセンブリを振動篩い分け機の振動フレームから共に引き出せるように２つのアセンブリが相互に接合されている改良スクリーン・アセンブリを提供することである。
【０００５】
本発明のさらなる目的は、２つの同様のスクリーン・アセンブリを振動篩い分け機の振動フレームに端部を接して取り付け、その間に効果的なシールを有しうる改良スクリーン・アセンブリを提供することである。本発明の他の目的及び付随的利点は、以後の文章から容易に分かるだろう。
【０００６】
本発明は、フレームと、前記フレームにおける、離間した第一及び第二の側部材と、前記側部材の端部と、前記側部材の上面及び下面と、前記フレームにおける、前記側部材の前記端部において離間した第一及び第二の端部材と、前記離間した第一側部材と第二側部材の間に延びておりかつこれらを接合する、離間した複数のリブと、前記側部材と前記端部材との間の開口と、前記フレームにおける前記開口の上に被さるスクリーンと、前記離間した側部材の前記下面の凹部とを有している、スクリーン・アセンブリに関するものである。
【０００７】
本発明は、また、フレームと、前記フレームにおける離間した側部材と、前記側部材の端部と、前記フレームにおける前記側部材の前記端部において離間した第一及び第二の端部材と、前記第一及び第二の側部材と前記第一及び第二の端部材との間の開口と、前記フレームにおける前記開口の上に被さるスクリーンと、前記離間した側部材の間に延びておりかつこれらを接合する、離間した複数のリブと、前記リブの上縁及び前記リブの凹状下縁とを有している、スクリーン・アセンブリに関するものである。
【０００８】
本発明は、また、フレームと、前記フレームにおける離間した第一及び第二の側部材と、前記側部材の端部と、前記側部材の上面及び下面と、前記フレームにおける前記側部材の前記端部における端部材上面及び端部材下面を有している、離間した第一及び第二の端部材と、前記離間した側部材の間に延びておりかつこれらを接合する、離間した複数のリブと、前記側部材と前記端部材との間の開口と、前記フレームにおいて前記開口の上に被さる波状スクリーンと、前記第一の端部材の前記端部材下面から外向きに延びているリップとを有しているスクリーン・アセンブリに関するものである。
【０００９】
本発明は、また、フレームと、前記フレームにおける離間した第一及び第二の側部材と、前記側部材の端部と、前記側部材の上面及び下面と、前記フレームにおける前記側部材の前記端部における離間した第一及び第二の端部材と、前記離間した側部材の間に延びておりかつこれらを接合する、離間したリブと、前記側部材と前記端部材との間の開口と、前記フレームにおける前記開口の上に被さるスクリーンと、前記第一の端部材の外向きに延びている棚部と、前記第二の端部材の張り出し部とを有しているスクリーン・アセンブリに関するものである。
【００１０】
本発明の様々な態様は、明細書の以下の部分を添付図面と関連させて読めばよりよく理解できるだろう。
【発明を実施するための最良の形態】
【００１１】
簡単な前置きとして言うと、図１〜７及び図８〜１３のスクリーン支持ベースは、軽量で強固である。軽量である点は、鋳造アルミニウムから作られていることと、フレームの離間した複数の側部材間のリブの間隔が比較的に広いことを含めて多数の要因に起因し、さらに、離間した複数の側部材が凹部を有すること、またさらに、様々なリブ部材がテーパー状であることに起因する。また、スクリーンの１つの実施態様は、２つのスクリーンを相互に取り付けるために特有の結合構成を有する。別の実施態様は、隣接する２つのスクリーン間に特有の接合部を有する。
【００１２】
図１〜７の鋳造アルミニウム製のスクリーン支持ベース１０は、端部材１３、１４と一体的に鋳造されている端部を有する鏡像的側部材１２及び１２′から成る外側フレーム１１を有している。側部材１２及び１２′の下面１５及び１５′は、それぞれ、その長さ全体に延びておりかつリブ状のセパレータ１９及び１９′によって分離されている、離間した凹部１７及び１７′を有する。セパレータは、それぞれ、離間した側部材１２及び１２′のそれぞれ隣接する表面２０及び２０′と同一平面にある。凹部１７は２つの機能を果たす。すなわち、凹部１７は、ベース１０の重量を減少し、かつ歪むことなくベース１０を鋳造できるようにするのに役立つ。
【００１３】
側部材１２及び１２′は、実質的に山形材の形態である。側部材１２は脚部２１及び２６を有し、凹部１７は脚部２１に配置されている。側部材１２′は鏡像的な対応する脚部２１′及び２６′を有し、凹部１７′は脚部２１′に配置されている。また、後により詳細に説明するように、支持ベース１０の上面に取り付けられるスクリーン構造の下に空間を設けるために、凹部２２及び２２′（図１及び７）がそれぞれ脚部２１及び２１′に配置されている。離間した複数のリブ３０（図２及び３）は、側部材１２と側部材１２′の間に延び、これら側部材１２、１２′と一体的に成形されて、ベース１０に強度を与えると同時に、重量を比較的に小さくする。より明確に言うと、リブ３０は、それぞれ、側部材１７及び１７′の脚部２６と２６′の間に延びている。リブ３０は識別しやすいように図２においては実線で示されている。
【００１４】
端部材１３及び１４は、側部材１２及び１２′と一体的に鋳造されている。端部材１３（図６）は、脚部２３及び２４を有する山形材の形態である。端部材１４（図５）も、脚部２５及び２７を有する山形材の形態である。端部材１３と１４の間の唯一の大きな相違は、後でより詳細に説明するように、隣接するベース１０に取り付けるために、脚部２３の長さ全体に延びているリップ２９を脚部２３が有することである。
【００１５】
ベース１０は、一般に、図１に示されているように、その中に開口の交互の列３１及び３２を有する。列３１は開口３３を有し、列３２は開口３４を有している。開口は境界部材によって形成されている。より明確に言うと、境界部材３５は、側部材１２、１２′の横断方向に延びている高さの小さいストリップであり、側部材と一体的に成形されている。リブ３０も開口の境界部材である（図５）。開口３３及び３４は、さらに、境界部材３５、３０の横断方向に延びている境界部材３８及び３９によって形成されている。境界部材３８は列３１にあり、境界部材３９は列３２にある。境界部材３８は端部材１３、１４の横断方向に列状に延びており、境界部材３９も端部材１３、１４の横断方向に列状に延びている。図２において、端部材１４から上方に６対の列３１、３２が延びており、図２において、端部材１３から下方に５対の列３１、３２が延びている。図２のほぼ中央部には、３列あり、２つの境界部材３５が２つのリブ３０の間にある。最上端部及び最下端部の列は、境界ストリップ３８を有し、中央列３７は境界ストリップ３９を有する。図５、６及び７から分かるように、側部材１２及び１２′の脚部２６及び２６′及び端部材１３及び１４の脚部２４及び２７は、それぞれ、重量を減らすためにテーパー状である。また、境界部材３０も重量を減らすためにテーパー状である。
【００１６】
図８〜１３においては、別の実施態様の鋳造アルミニウムのスクリーン支持ベースが示されている。スクリーン支持ベース４０は、側部材４２及び４２′の端部と一体的に鋳造されている、離間した端部材４３及び４４と、離間した側部材４２及び４２′とを有するフレーム４１を有している。側部材４２及び４２′は、上部４５及び垂直部４７を有する、本質的にＴ字型の断面（図１３）の形態である。側部材４２′は、側部材４２の鏡面形であり、かつ上部４５′及び垂直部４７′を有する。図９に示されているように、ガセット４９が配置されている。ガセット４９′はガセット４９の鏡像形である。リブ５０は、ガセット４９及び４９′と整列し、リブ５０の端部は、それぞれ、Ｔ字型側部材４２及び４２′の垂直部４７と一体的に鋳造されている。リブ５０は、凹状下縁５１と、直線状の上縁５２とを有する。端部材４３の下縁は参照番号５３で凹状であり、端部材４４の下縁は参照番号５４で凹状である。各リブ５０の凹部５１は、凹部５３及び５４と同じ輪郭を有し、上記の凹部は全て整列している。縁５１、５３及び５４の陥凹により、その長さ全体がその端部と同じ高さであった場合の重量に比べて、それぞれリブ５０及び端部材４３及び４４の重量が減る。また、側部材４２の垂直部４７と同様に、リブ５０は、下方に向かってテーパー状に細くなるので、重量が減少する。
【００１７】
ベース４０は、それぞれ開口５９と６０の交互の列５５及び５７を有する。一般に、開口５５及び５７の第一の辺は、図９においては識別しやすいように濃くなっているリブ５０を境界とする。列５５及び５７の第二の辺は、リブ５０より高さが小さくこれらにほぼ平行に延び、かつ側部材４２及び４２′と一体的に鋳造され、これら側部材の横断方向に延びている境界部材６１を境界とする。開口５５及び５７は、また、それぞれ境界部材５０及び６１に直角に延びている境界部材６２及び６３を境界とする。境界部材６２は列５５に配置され、境界部材６３は列５７に配置されている。離間した列５５の境界部材６２は、端部材４３、４４の横断方向に相互に整列し、離間した列５７の境界部材６３は、端部材４３、４４の横断方向に相互に整列する。
【００１８】
図９においては、６対の列５５〜５７が端部材４４から上向きに延び、５対の列５５〜５７が端部材４３から下向きに延びている。図９のほぼ中央部には、３つの列６８があり、２つの境界部材６１が２つのリブ５０の間にある。最上端部及び最下端部の列６８は、境界ストリップ６２を有し、中央の列６８は境界ストリップ６３を有する。
【００１９】
図１４において、スクリーン・アセンブリ７０が示されている。図１４では、波状スクリーン７１が図１〜７のフレーム１１に取り付けられている。波状スクリーン７１は、技術上周知のように、谷部又は溝部７３をその間にはさむ隆線７２を有している。波状スクリーンは、米国特許第５，６３６，７４９号（参照により本出願に組み込まれる）に示されているように、複数の層がプラスティック・グリッドによって相互に固定されている多層構造であることが望ましい。他の任意の適切な波状スクリーン構造をベース１０に固定できることが分かるだろう。隆線７２の両端部は、上記の米国特許第５，６３６，７４９号に開示されているように、成形キャップ又はプラグ７４を有する。他の任意のタイプのキャップ又はプラグも使用できることが分かるだろう。スクリーン７１の長手軸線方向外縁７５は、平らであり、側部材１２及び１２′の上面に接着されている。外縁は約６．４ｍｍ（約１／４インチ）だけ側部材１２及び１２′に重なることが望ましい。スクリーン７１は、端部７７が端部材１４の末端部７９と同一平面になるように、フレーム１１に取り付けられている。スクリーンの反対の端部８０は、端部材１３の端部８１から離間している。谷部又は溝部７３の下面は、２つの最も外側の境界ストリップ３８の範囲内で整列した境界ストリップ３８に接着され、その端部は端部材１３及び１４に接着されている。隆線７２は、整列した境界ストリップ３９の上にある。スクリーン境界材７５も最も外側の境界ストリップ３８に接着されている。スクリーン・アセンブリ７０は約８．１ｋｇ（約１８ポンド）の重さである。
【００２０】
２つのスクリーン・アセンブリ７０が振動篩い分け機の振動フレーム８３の２つの側壁８２の間に端部を接して取り付けられる。振動篩い分け機は、振動フレームが外側の固定フレームに弾性的に取り付けられ、かつ振動フレームに振動を与えるために少なくとも１台の振動モータが振動フレームに結合されている、任意の従来のタイプのものでよい。この一般的タイプの機械は、米国特許第５，３３２，１０１号（参照することにより本出願に組み込まれる）に示されている。振動フレーム８３は、また、２つの側壁８２の間に端壁８４（図１６、２０、２１）を有している。
【００２１】
上述のように、２つのスクリーン・アセンブリ７０は、振動篩い分け機の振動フレーム８３の２つの側壁８２の間で端部を接して取り付けられている。まず、スクリーン・アセンブリ７０の中の一方が、フレーム１１の端部材１３が図２０に示されている山形材８９と９０の間の位置に達するまで、一方の側面を２つの山形材８５′と山形材８７′との間に滑らせ、同時に、反対の側面を山形材８５と山形材８７の間に滑らせることによって、端壁８４付近に設置される。その後、第二のスクリーン・アセンブリ７０が、一方の側面を一方の側壁８２の山形材９２′と山形材９３′の間に滑らせ、同時に、反対の側面を、反対の側壁８２の鏡像的な山形材９２と山形材９３との間に滑らすことによって取り付けられる（図１９Ａ）。図１９から分かるように、山形材９２′及び９３′は山形材８５′及び８７′に対して角度を成して配置され、山形材９２及び９３と山形材８５及び８７に関しても同様である。
【００２２】
２つのスクリーン・アセンブリの設置中、図１７及び１８から分かるように、図の左側の振動スクリーン・アセンブリ７０は、右側の既に設置されたスクリーン・アセンブリ７０に対して角度を成す。ばねクリップ９４の端部９５は、端部材１４の垂直脚部２７に固定されている。クリップ９４の中央部９７は、図１７及び１８に示されているように延びている。クリップ９４の端部は、参照番号９９に示されているように上向きに曲げられている。スクリーン・アセンブリ７０は、山形材９２′、９３′と山形材９２、９３との間を図１７において矢印で示されている方向に動かされるので、リップ２９はばねクリップ９４の折返し端部９９と係合し、リップ２９が折返し端部９９を通り越すまで中央部９７を左回りに回転させる。その後、左のスクリーン・アセンブリは、隣り合うスクリーン・アセンブリ７０の隆線７２の端部が図１８に示されているように相互に接するまで、移動し続ける。隣り合うスクリーン・アセンブリ７０の隆線７２は、その間の溝部又は谷部７３と同様、整列することが分かるだろう。図１８から分かるように、端部材１４の角縁は端部材１３の上面と接して、その間に効果的に密閉構成を生じる。図１５のスクリーン・アセンブリ１０３は、波状スクリーンがないことを除いてスクリーン・アセンブリ７０と同様に機能する。
【００２３】
２つのスクリーン・アセンブリを所定の位置に締め付けかつこれから漏出しないように密閉するのに適した構造が、振動フレーム８３に装備されている。このために、細長いブラダ１０１′（図１９Ａ）が山形材９２′の水平脚部の下面に固定され、細長いブラダ１０１が山形材９２の水平脚部の下面に固定されている。また、細長いブラダ１０６′（図１６）が山形材８５′の水平脚部の下面に固定され、対応する細長いブラダ１０６が山形材８５の水平脚部の下面に固定されている。最初に設置されているスクリーン・アセンブリ７０の端部材１３（図２０）は、端壁８４に固定されている山形材８９の水平脚部に当接し、同様に、端壁８４に固定されている山形材９０の水平脚部の下に配置されている。細長いブラダ９１が山形材９０の水平脚部の下面に固定されている。上記のブラダ全てを膨らませるのに適した構造（図には示されていない）が配備され、それによって、最初に設置されているスクリーン・アセンブリ７０の端部材１３及び両方のスクリーン・アセンブリ７０の側面を所定の位置にしっかりと留める。ブラダは全て、スクリーン・アセンブリ７０に用いられている材料がアセンブリから漏出しないようにするためのシールとして作用する。
【００２４】
端部を接する２つのスクリーン・アセンブリ７０を振動フレームの壁８２の間から取り外したい場合、上記の様々なブラダを収縮させ、山形材９２、９３と山形材９２′、９３′との間にある振動スクリーン・アセンブリ７０を矢印１０２（図１９）の方向に引っ張って、ばねクリップ９４の折返し先端部９９をリップ２９と係合させることによって、端壁８４から離れているスクリーン・アセンブリ７０が矢印１０２の方向に動かされる時、溝部８５〜８７と８５′〜８７′との間にあるスクリーン・アセンブリがこの溝部に沿って引っ張られ、フレーム１１の側縁１２及び１２′が溝部９２、９３と溝部９２′、９３′との間のスペースに入って、側壁８２の間から取り除かれるまでそのまま引っ張られる。
【００２５】
図１５において、図１〜７に関連する上述のフレーム１１に取り付けられたスクリーン・アセンブリ１０３が示されている。スクリーン・アセンブリ１０３は、波状スクリーン７１ではなくフレーム１１に接着された多層フラット・スクリーンを有している点で、スクリーン・アセンブリ７０と異なっている。多層フラット・スクリーンは、ファイン・スクリーン材料の上部層１０４と、それより粗いスクリーン材料の中間層１０５と、支持スクリーン材料の最下層１０７とから成る。このタイプのスクリーンは技術上周知である。他の任意の適切なフラット・スクリーンをフレーム１１に接着することができる。スクリーン・アセンブリは、重量が約８．１ｋｇ（約１８ポンド）であり、長さが約８１ｃｍ（約３２インチ）であり、幅が約６４ｃｍ（約２５インチ）である。
【００２６】
波状スクリーン７１は、以下のようにフレーム１１の上面に接着されている。フレーム全体は、ＴＡＬＩＳＭＡＮ  ３ＤＥＳ  Ｅｌｅｃｔｒｏｓｔａｔｉｃ  Ｂｌａｃｋ  ７００の商標で知られている融解ポリプロピレン粉末でコーティングされている。粉末はフレーム１１の表面を被覆し、コーティングを形成するのに適した温度で加熱され、冷却される。その後、図１４に示されているように、スクリーン７１がフレーム１１の上に置かれ、コーティングを活性化してコーティングを接着剤として作用させて、ストリップ３８の長さに沿ってかつストリップ３８がリブ３０及び横部材３５に合流する地点でリブ３０及び横材３５の上面に溝部７３の下面を密閉させるために、熱と圧力が加えられる。また、波状スクリーンのサイド７５は、上記の接着剤によってフレーム１１の側部材１２及び１２′に接着される。図１５の多層フラット・スクリーンは、フレーム１１に粉末状で当てられた適切なエポキシ樹脂によってフレーム１１の上面に固定されている。このエポキシ樹脂はグリーン・スクリーン・エポキシ樹脂として知られ、ミズーリ州セントルイスのＳｕｎｄｕｒ  Ｐｏｗｄｅｒ  Ｃｏａｔｉｎｇｓの製品Ｅ−１２２７である。
【００２７】
図２２〜２５には、スクリーン・アセンブリ１１０と、これが振動篩い分け機の振動フレーム１１３の側壁１１１及び１１１′と端壁１１２の間に取り付けられる方法が示されている。振動スクリーン・アセンブリ１１０は、図８〜１３において以上に詳細に説明したフレーム４１（図８及び９）を有している。また、このアセンブリ１１０は、以上に説明した波状スクリーンと実質的に同じ波状スクリーン１１４を有している。波状スクリーンは溝部１１７をその間に挟む隆線１１５を有する。隆線の端部は、全てキャップ又はブラグ１１９をその中に有している。以上に述べたとおり、波状スクリーン１１４は、図１４〜２１に関連して以上に説明した波形スクリーン７１と同じタイプのものでよい。
【００２８】
波形スクリーン１１４は、波状スクリーン７１及びフレーム１１に関連して以上に説明したのと同じ方法でフレーム４１に接着される。より明確に言うと、溝部１１７の下面は、端部材４３、４４の横断方向に延びている境界ストリップ６２に接着される。波状スクリーンの端部は端部材４３及び４４に接着され、スクリーン１１４のサイド９８はフレームの側部材４２及び４２′に接着される。また、図には示されていないが、図１５に関連して以上に説明したのと同じ方法でフラット・スクリーンをフレーム４１の上面に接着することもできる。スクリーン・アセンブリ１１０の重量は約８．６ｋｇ（約１９ポンド）であり、フラット・スクリーンを有しているスクリーン・アセンブリの重量も約８．６ｋｇ（約１９ポンド）であり、両方とも長さ約８６ｃｍ（約３４インチ）、幅約６９ｃｍ（約２７インチ）である。
【００２９】
２つのスクリーン・アセンブリ１１０は、振動篩い分け機の振動フレーム１１１３の側壁１１１と１１１′との間に端部を接して取り付けられている。端部を接して設置されているスクリーン・アセンブリ１１０の隆線１１５と溝部１１７は、整列し、図２５に示されているように、当接関係にある。細長いシール１２０が、端部材４３（図２３及び１２）の側面１２１及び１２２の接点に配置されている。端部材４３の側面１２２（図９、１２及び２５）は、端部材４４の張り出し部１２３（図１１）を受ける棚部である。シール１２０は、細長いビーズ状の構造であり、適切なエラストマー部材とすることができる（図１２、２３及び２５）。
【００３０】
端部を接する２つのスクリーン・アセンブリ１１０は、各々、側壁１１１の山形材１２４及び１２５と側壁１１１′の鏡像的山形材１２４′及び１２５′との間に受け入れられる側部材４２及び４２′を有する。ブラダ１２７及び１２７′が膨らまされてフレーム４１のエッジ部４２及び４２′を押し下げてエッジ部を所定の位置に保持して漏出しないよう密閉するために、ブラダ１２７及び１２７′は、山形材１２４及び１２４′の水平脚部の下面に固定される。ブラダ１２７及び１２７′は、山形材１２４及び１２４′の長さ全体を占め、山形材１２４及び１２４′の端部は端壁１１２に当接している。また、スクリーン・アセンブリが設置されると、端壁１１２に隣接するスクリーン・アセンブリ１１０の端部は、図２５に示されているように端壁に当接する。望ましい場合には、スクリーン・アセンブリの端部がシールに当接するようにシール部材を壁１１２に取り付けることができる。
【００３１】
図２６及び２７には、別の実施態様のスクリーン・ベース１０′の部分図が示されている。この実施態様は、ほとんど全ての点で図１及び２の実施態様１０と同じであり、同一の番号は同一の構造要素を表している。唯一の相違は、端部材１３のリップ構造である。図１及び２の細長いリップ２９が排除されて、代わりに、側面１３２、１３３及び１３４を有する長方形の窪み部１３１の一部であるリップ１３０が使用される。リップ１３０は図１７及び１８に示されているリップ２９と同様に機能する。このために、２つのスクリーン・ベース１０′が組み立てられる時、ばねクリップ９４は長方形の窪み部１３１に入り、ベースが引き戻される時、クリップ９４のフック端部はリップ１３０と係合し、リップ１３０を有するスクリーン・ベースと共にクリップ９４を有するスクリーン・ベース１０′を引っ張る。
【００３２】
上述の振動篩い分け機は先行技術の装置であり、スクリーン構造との唯一の関係は、本発明のスクリーン構造が設置される方法である。
【００３３】
本発明の望ましい実施態様が開示されているが、本発明はこれに限定されず、以下の特許請求の範囲内で他の方法で実施できることが分かるだろう。
【図面の簡単な説明】
【００３４】
【図１】１つの実施態様のスクリーン支持ベースの上面図である。
【図２】図１のスクリーン支持ベースの底面図である。
【図３】実質的に図１の矢印３−３の方向に見た端面図である。
【図４】図３の円で囲まれた部分のスクリーン支持ベースの縁の拡大詳細図である。
【図５】実質的に図１の線５−５に沿って見た部分断面図である。
【図６】実質的に図１の線６−６に沿って見た部分断面図である。
【図７】実質的に図１の線７−７に沿って見た部分断面図である。
【図８】別の実施態様のスクリーン支持ベースの上面図である。
【図９】図８のスクリーン支持ベースの底面図である。
【図１０】実質的に図８の矢印１０−１０の方向に見た端面図である。
【図１１】実質的に図８の線１１−１１に沿って見た部分断面図である。
【図１２】実質的に図８の線１２−１２に沿って見た部分断面図である。
【図１３】実質的に図８の線１３−１３に沿って見た部分断面図である。
【図１４】波状スクリーンが取り付けられている図１〜６のベースを有しているスクリーン・アセンブリの部分平面図である。
【図１５】多層フラット・スクリーンが取り付けられている図１〜６のベースを有しているスクリーン・アセンブリの部分平面図である。
【図１６】振動篩い分け機の振動フレームの壁の間に取り付けられている図１４のスクリーン・アセンブリの部分斜視図である。
【図１７】図１６の振動篩い分け機に取り付けられている図１４の２つのスクリーン・アセンブリの部分側面図である。
【図１８】図１７と同様の部分側面図であるが、着脱ラッチが完全に組み立てられた状態で振動篩い分け機に取り付けられた時に２つのスクリーン・アセンブリがとる位置において２つのスクリーン・アセンブリを示している。
【図１９】図１６の矢印１９−１９の方向に見た側面図であり、図１４の波状スクリーン・アセンブリを取り付けるために振動篩い分け機の１側面及び端部に取り付けられている山形材を示している。
【図１９Ａ】実質的に図１９の線１９Ａ−１９Ａに沿って見た部分断面図であり、振動フレームの両側面を示している。
【図２０】図１４の振動スクリーンの側面を示し、かつブラダを膨らませる前の図１４の振動スクリーン・アセンブリの端部を支えるために山形材が取り付けられている振動篩い分け機の端壁の断面を示す図である。
【図２１】図２０と同様であるが、膨らんだブラダを示している。
【図２２】図８及び９のベースを有しかつ波状スクリーンを有する振動スクリーン・アセンブリの部分平面図である。
【図２３】振動篩い分け機の振動フレームの側面間に取り付けられている図２２の振動スクリーン・アセンブリを示す部分斜視図である。
【図２４】図２２のスクリーン・アセンブリを取り付けるための山形材が側壁に取り付けられた状態で図２３の振動篩い分け機の１つの側面を示す、実質的に図２３の矢印２４−２４の方向に見た側面図である。
【図２５】図２３の振動フレームに端部を接して組み立てられている図２２の２つの振動スクリーン・アセンブリの位置を示す部分側面図である。
【図２６】異なるリップ取り付け構造を有するスクリーン・ベースの別の実施態様の部分平面図である。
【図２７】実質的に図２６の線２７−２７に沿って見た部分断面図である。
【図１】
2007503979.tif 000003
【図２】
2007503979.tif 000004
【図３】
2007503979.tif 000005
【図４】
2007503979.tif 000006
【図５】
2007503979.tif 000007
【図６】
2007503979.tif 000008
【図７】
2007503979.tif 000009
【図８】
2007503979.tif 000010
【図９】
2007503979.tif 000011
【図１０】
2007503979.tif 000012
【図１１】
2007503979.tif 000013
【図１２】
2007503979.tif 000014
【図１３】
2007503979.tif 000015
【図１４】
2007503979.tif 000016
【図１５】
2007503979.tif 000017
【図１６】
2007503979.tif 000018
【図１７】
2007503979.tif 000019
【図１８】
2007503979.tif 000020
【図１９】
2007503979.tif 000021
【図１９Ａ】
2007503979.tif 000022
【図２０】
2007503979.tif 000023
【図２１】
2007503979.tif 000024
【図２２】
2007503979.tif 000025
【図２３】
2007503979.tif 000026
【図２４】
2007503979.tif 000027
【図２５】
2007503979.tif 000028
【図２６】
2007503979.tif 000029
【図２７】
2007503979.tif 000030
【国際調査報告】
2007503979.tif 000031